(57)【特許請求の範囲】
【請求項１】
車両に搭載され、ラジオ放送を受信して放送中の楽曲を記憶手段に録音するとともに前記記憶手段に録音された前記楽曲を再生する機能を有するラジオ放送受信装置であって、
前記放送中の楽曲を、提供元の放送サービス事業者を含む属性情報と関連付けて前記記憶手段に録音させる録音手段と、
前記車両の位置を特定するための現在位置情報を取得する現在位置情報取得手段と、
再生する楽曲の属性情報を前記記憶手段から読み出して再生する楽曲の提供元の放送サービス事業者を特定するとともに、前記現在位置情報に基づいて特定した前記車両の位置が、前記再生する楽曲の提供元の放送サービス事業者により再生が許可された第１の許可エリア内に含まれるか否かを判定する第１の判定手段と、
前記第１の判定手段により前記車両の位置が前記第１の許可エリア内に含まれないと判定された場合、前記楽曲の再生を禁止する第１の再生禁止手段と、を備えたことを特徴とするラジオ放送受信装置。
【請求項２】
前記楽曲の再生を禁止する再生禁止エリアを地理的範囲として規定した再生禁止エリア情報を取得する再生禁止エリア情報取得手段と、
前記現在位置情報に基づいて特定した前記車両の位置が前記再生禁止エリア内に含まれるか否かを判定する第２の判定手段と、
前記第１の判定手段により前記車両の位置が前記第１の許可エリア内に含まれると判定された場合であっても、前記第２の判定手段により前記車両の位置が前記再生禁止エリア内に含まれると判定された場合、前記記憶手段に録音された前記楽曲の再生を禁止する第２の再生禁止手段を備えたことを特徴とする請求項１に記載のラジオ放送受信装置。
【請求項３】
前記記憶手段に録音された前記楽曲の中から再生する楽曲を特定するとともに再生する楽曲のジャンルを表すジャンル情報を取得する第１のジャンル情報取得手段と、
前記現在位置情報に基づいて特定した前記車両の位置が、前記再生する楽曲と同一ジャンルの楽曲の再生を禁止するエリアを地理的範囲として規定した特定ジャンル再生禁止エリア内に含まれる否かを判定する第３の判定手段と、を備え、
前記第２の再生禁止手段は、前記第３の判定手段により前記車両の位置が、前記再生する楽曲と同一ジャンルの楽曲の再生を禁止する特定ジャンル再生禁止エリア内に含まれると判定された場合、前記記憶手段に録音された前記楽曲の再生を禁止することを特徴とする請求項１または２に記載のラジオ放送受信装置。
【請求項４】
前記第１の許可エリア外における前記楽曲の再生を許可する第２の許可エリアを地理的範囲として規定した第２の許可エリア情報を取得する第２の許可エリア情報取得手段と、
前記現在位置情報に基づいて特定した前記車両の位置が前記第２の許可エリア内に含まれるか否かを判定する第４の判定手段と、
前記第１の判定手段により前記車両の位置が前記第１の許可エリア内に含まれないと判定された場合であっても、前記第４の判定手段により前記車両の位置が前記第２の許可エリア内に含まれると判定された場合、前記記憶手段に録音された前記楽曲を再生する再生手段と、を備えたことを特徴とする請求項１ないし３のいずれか１つに記載のラジオ放送受信装置。
【請求項５】
前記第１の判定手段により前記車両の位置が前記第１の許可エリア内に含まれないと判定された場合、前記放送中の楽曲の前記記憶手段への録音を禁止する第１の録音禁止手段を備えたことを特徴とする請求項１ないし４のいずれか１つに記載のラジオ放送受信装置。
【請求項６】
前記第１の許可エリア内における前記楽曲の録音を禁止する録音禁止エリアを表す情報を取得する録音禁止エリア情報取得手段と、
前記現在位置情報に基づいて特定した前記車両の位置が前記録音禁止エリア内に含まれるか否かを判定する第５の判定手段と、
前記第１の判定手段により前記車両の位置が前記第１の許可エリア内に含まれると判定された場合であっても、前記第５の判定手段により前記車両の位置が前記録音禁止エリア内に含まれると判定された場合、前記放送中の楽曲の前記記憶手段への録音を禁止する第２の録音禁止手段を備えたことを特徴とする請求項１ないし５のいずれか１つに記載のラジオ放送受信装置。
【請求項７】
放送中の楽曲のジャンルを表す情報を取得する第２の楽曲ジャンル情報取得手段と、
前記現在位置情報に基づいて特定した前記車両の位置が、前記放送中の楽曲と同一ジャンルの楽曲の録音を禁止する特定ジャンル録音禁止エリア内に含まれるか否かを判定する第６の判定手段と、を備え、
前記第１の録音禁止手段は、前記第６の判定手段により前記車両の位置が、前記放送中の楽曲と同一ジャンルの楽曲の録音を禁止するエリアを地理的範囲として規定した特定ジャンル録音禁止エリア内に含まれると判定された場合、前記放送中の楽曲の前記記憶手段への録音を禁止することを特徴とする請求項１ないし６のいずれか１つに記載のラジオ放送受信装置。
【請求項８】
前記第１の許可エリア外における前記楽曲の録音を許可する第３の許可エリアを地理的範囲として規定した第３の許可エリア情報を取得する第３の許可エリア情報取得手段と、
前記現在位置情報に基づいて特定した前記車両の位置が前記第３の許可エリア内に含まれるか否かを判定する第７の判定手段と、を備え、
前記第１の判定手段により前記車両の位置が前記第１の許可エリア内に含まれないと判定された場合であっても、前記第７の判定手段により前記車両の位置が前記第３の許可エリア内に含まれると判定された場合、前記楽曲の録音を許可することを特徴とする請求項６または７に記載のラジオ放送受信装置。
【請求項９】
前記第１の許可エリアは、前記ラジオ放送の放送サービスエリアであることを特徴とする請求項１ないし８のいずれか１つに記載のラジオ放送受信装置。
【発明の詳細な説明】
【技術分野】
【０００１】
本発明は、車両に搭載され、ラジオ放送を受信して放送された楽曲を録音するとともに録音した楽曲を再生する機能を有するラジオ放送受信装置に関するものである。
【背景技術】
【０００２】
従来、プリセレクトしたオーディオ放送を自動的に受信して記憶媒体に録音し、ユーザが乗車するとすぐに再生することができる車載オーディオシステムがある（例えば、特許文献１参照）。
【特許文献１】ＵＳ５６７１１９５号公報
【発明の開示】
【発明が解決しようとする課題】
【０００３】
上記特許文献１に記載したような装置では、放送内容に含まれる大量の楽曲を記憶媒体に記憶させてどこでも再生させることが可能である。しかし、このように記憶媒体に記憶された楽曲を無制限に再生することができてしまうと、ラジオ放送の聴取率の低下につながり、コマーシャルによる番組スポンサーの宣伝や有料放送の契約申込み等の効果を期待できなくなってしまうといった状況が考えられる。
【０００４】
このため、放送サービス事業者から車両の位置に応じて記憶媒体に記憶された楽曲の再生を制限できるようにしたいといった要望がある。
【０００５】
本発明は上記点に鑑みたもので、車両の位置に応じて記憶媒体に記憶された楽曲の再生を制限できるようにすることを目的とする。
【課題を解決するための手段】
【０００６】
上記目的を達成するため、請求項１に記載の発明は、車両に搭載され、ラジオ放送を受信して放送中の楽曲を記憶手段に録音するとともに記憶手段に録音された楽曲を再生する機能を有するラジオ放送受信装置であって、放送中の楽曲を、提供元の放送サービス事業者を含む属性情報と関連付けて記憶手段に録音させる録音手段と、車両の位置を特定するための現在位置情報を取得する現在位置情報取得手段と、再生する楽曲の属性情報を記憶手段から読み出して再生する楽曲の提供元の放送サービス事業者を特定するとともに、現在位置情報に基づいて特定した車両の位置が、再生する楽曲の提供元の放送サービス事業者により再生が許可された第１の許可エリア内に含まれるか否かを判定する第１の判定手段と、第１の判定手段により車両の位置が第１の許可エリア内に含まれないと判定された場合、楽曲の再生を禁止する第１の再生禁止手段と、を備えたことを特徴としている。
【０００７】
このような構成では、放送中の楽曲を、提供元の放送サービス事業者を含む属性情報と関連付けて記憶手段に録音させ、再生する楽曲の属性情報を記憶手段から読み出して再生する楽曲の提供元の放送サービス事業者を特定するとともに、現在位置情報に基づいて特定した車両の位置が、再生する楽曲の提供元の放送サービス事業者により再生が許可された第１の許可エリア内に含まれるか否かを判定し、車両の位置が、再生する楽曲の提供元の放送サービス事業者により再生が許可された第１の許可エリア内に含まれないと判定された場合、楽曲の再生が禁止される。すなわち、車両の位置に応じて記憶媒体に記憶された楽曲の再生を制限することができる。
【０００８】
また、請求項２に記載の発明は、楽曲の再生を禁止する再生禁止エリアを地理的範囲として規定した再生禁止エリア情報を取得する再生禁止エリア情報取得手段と、現在位置情報に基づいて特定した車両の位置が再生禁止エリア内に含まれるか否かを判定する第２の判定手段と、第１の判定手段により車両の位置が第１の許可エリア内に含まれると判定された場合であっても、第２の判定手段により車両の位置が再生禁止エリア内に含まれると判定された場合、記憶手段に録音された楽曲の再生を禁止する第２の再生禁止手段を備えたことを特徴としている。
【０００９】
このように、車両の位置が第１の許可エリア内に含まれると判定された場合であっても、車両の位置が再生禁止エリア内に含まれると判定された場合、記憶手段に録音された楽曲の再生を禁止することができる。
【００１２】
また、請求項３に記載の発明は、記憶手段に録音された楽曲の中から再生する楽曲を特定するとともに再生する楽曲のジャンルを表すジャンル情報を取得するジャンル情報取得手段と、現在位置情報に基づいて特定した車両の位置が、再生する楽曲と同一ジャンルの楽曲の再生を禁止するエリアを地理的範囲として規定した特定ジャンル再生禁止エリア内に含まれる否かを判定する第３の判定手段と、を備え、第２の再生禁止手段は、第３の判定手段により車両の位置が、再生する楽曲と同一ジャンルの楽曲の再生を禁止する特定ジャンル再生禁止エリア内に含まれると判定された場合、記憶手段に録音された楽曲の再生を禁止することを特徴としている。
【００１３】
このように、車両の位置が、再生する楽曲と同一ジャンルの楽曲の再生を禁止する特定ジャンル再生禁止エリア内に含まれると判定された場合、記憶手段に録音された楽曲の再生を禁止することができる。
【００１４】
また、請求項４に記載の発明は、第１の許可エリア外における楽曲の再生を許可する第２の許可エリアを地理的範囲として規定した第２の許可エリア情報を取得する第２の許可エリア情報取得手段と、現在位置情報に基づいて特定した車両の位置が第２の許可エリア内に含まれるか否かを判定する第４の判定手段と、第１の判定手段により車両の位置が第１の許可エリア内に含まれないと判定された場合であっても、第４の判定手段により車両の位置が第２の許可エリア内に含まれると判定された場合、記憶手段に録音された楽曲を再生する再生手段と、を備えたことを特徴としている。
【００１５】
このように、車両の位置が第１の許可エリア内に含まれないと判定された場合であっても、車両の位置が第２の許可エリア内に含まれると判定された場合、記憶手段に録音された楽曲を再生することができる。
【００１６】
また、請求項５に記載の発明は、第１の判定手段により車両の位置が第１の許可エリア内に含まれないと判定された場合、放送中の楽曲の記憶手段への録音を禁止する第１の録音禁止手段を備えたことを特徴としている。
【００１７】
このように、車両の位置が第１の許可エリア内に含まれないと判定された場合、放送中の楽曲の記憶手段への録音を禁止することができる。
【００１８】
また、請求項６に記載の発明は、第１の許可エリア内における楽曲の録音を禁止する録音禁止エリアを表す情報を取得する録音禁止エリア情報取得手段と、現在位置情報に基づいて特定した車両の位置が録音禁止エリア内に含まれるか否かを判定する第５の判定手段と、第１の判定手段により車両の位置が第１の許可エリア内に含まれると判定された場合であっても、第５の判定手段により車両の位置が録音禁止エリア内に含まれると判定された場合、放送中の楽曲の記憶手段への録音を禁止する第２の録音禁止手段を備えたことを特徴としている。
【００１９】
このように、車両の位置が第１の許可エリア内に含まれると判定された場合であっても、車両の位置が録音禁止エリア内に含まれると判定された場合、放送中の楽曲の記憶手段への録音を禁止することができる。
【００２０】
また、請求項７に記載の発明は、放送中の楽曲のジャンルを表す情報を取得する楽曲ジャンル情報取得手段と、現在位置情報に基づいて特定した車両の位置が、放送中の楽曲と同一ジャンルの楽曲の録音を禁止する特定ジャンル録音禁止エリア内に含まれるか否かを判定する第６の判定手段と、を備え、第１の録音禁止手段は、第６の判定手段により車両の位置が、放送中の楽曲と同一ジャンルの楽曲の録音を禁止するエリアを地理的範囲として規定した特定ジャンル録音禁止エリア内に含まれると判定された場合、放送中の楽曲の記憶手段への録音を禁止することを特徴としている。
【００２１】
このように、車両の位置が、放送中の楽曲と同一ジャンルの楽曲の録音を禁止する特定ジャンル録音禁止エリア内に含まれると判定された場合、放送中の楽曲の記憶手段への録音を禁止することができる。
【００２２】
また、請求項８に記載の発明は、第１の許可エリア外における楽曲の録音を許可する第３の許可エリアを地理的範囲として規定した第３の許可エリア情報を取得する第３の許可エリア情報取得手段と、現在位置情報に基づいて特定した車両の位置が第３の許可エリア内に含まれるか否かを判定する第６の判定手段と、を備え、第１の判定手段により車両の位置が第１の許可エリア内に含まれないと判定された場合であっても、第６の判定手段により車両の位置が第３の許可エリア内に含まれると判定された場合、楽曲の録音を許可することを特徴としている。
【００２３】
このように、車両の位置が第１の許可エリア内に含まれないと判定された場合であっても、第６の判定手段により車両の位置が第３の許可エリア内に含まれると判定された場合、楽曲の録音を許可することができる。
【００２４】
また、請求項９に記載の発明は、第１の許可エリアは、ラジオ放送の放送サービスエリアであることを特徴としている。
【００２５】
このように、第１の許可エリアは、ラジオ放送の放送サービスエリアとすることができる。
【発明を実施するための最良の形態】
【００２６】
本発明の一実施形態に係るラジオ放送受信装置の構成を図１に示す。本ラジオ放送受信装置１は、車両に搭載されるナビゲーション装置とデジタルラジオ放送受信装置とを一体化したものとして構成されている。
【００２７】
ラジオ放送受信装置１は、位置検出器１０、地図データ入力器１１、操作スイッチ群１２、デジタルラジオ放送受信部１３、外部メモリ１４、表示装置１５、音声コントローラ１６、リモコンセンサ１７および制御装置１８を備えている。
【００２８】
位置検出器１０は、地磁気センサ１１ａ、ジャイロスコープ１１ｂ、距離センサ１１ｃ、ＧＰＳ受信機１１ｄを有しており、これらセンサから車両の現在位置、向きおよび車速を特定するための情報を制御装置１８に出力する。
【００２９】
地図データ入力器１２は、地図表示や経路探索用の地図データを取得するための装置である。地図データ入力器１５は、制御装置１８の要求に応じて、地図データが記憶されたＣＤ、ＤＶＤ等の不揮発性記憶媒体から必要な地図データの読み出しを行う。
【００３０】
操作スイッチ群１２は、表示装置１５の表示画面の周囲に設けられた押ボタンスイッチや表示画面の前面に重ねて設けられたタッチスイッチ等によって構成されており、ユーザのスイッチ操作に応じた信号を制御装置１８へ出力する。
【００３１】
デジタルラジオ放送受信部１３は、制御装置１８より入力される選局情報に基づいて衛星より送信されるデジタルラジオ放送を選択受信し、受信した放送データを制御装置１８へ出力する。
【００３２】
外部メモリ１４は、後述する制御装置１８に設けられたＲＯＭやＲＡＭとは別に設けられたメモリであり、メモリカードやフラッシュメモリ等の読み書き可能な不揮発性記憶媒体によって構成されている。
【００３３】
本実施形態における外部メモリ１４には、各放送局の放送サービスエリア（第１の許可エリア）を、国、都道府県、市区町村等の地理的範囲として規定した放送サービスエリア情報が記憶されている。
【００３４】
また、外部メモリ１４には、各放送局の放送サービスエリア内における楽曲の再生を禁止する再生禁止エリアを地理的範囲として規定した再生禁止エリア情報、放送サービスエリア内における楽曲の録音を禁止する録音禁止エリアを地理的範囲として規定した録音禁止エリア情報、放送サービスエリア外における楽曲の再生を許可する第２の許可エリアを地理的範囲として規定した第２の許可エリア情報、放送サービスエリア外における楽曲の録音を許可する第３の許可エリアを地理的範囲として規定した第３の許可エリア情報も記憶されている。
【００３５】
なお、再生禁止エリア情報には、ロック、ポップス等の特定ジャンルの楽曲の再生を禁止する特定ジャンル再生禁止エリアを表す特定ジャンル再生禁止エリア情報や、予め定められた特定の楽曲の再生を禁止する特定楽曲再生禁止エリアを表す特定楽曲再生禁止エリア情報などがある。同様に、録音禁止エリア情報には、ロック、ポップス等の特定ジャンルの楽曲の録音を禁止する特定ジャンル録音禁止エリアを表す特定ジャンル録音禁止エリア情報や、予め定められた特定の楽曲の録音を禁止する特定楽曲録音禁止エリアを表す特定楽曲録音禁止エリア情報などがある。
【００３６】
表示装置１５は、液晶等のディスプレイを有し、制御装置１８より入力される映像信号に応じた映像をディスプレイに表示させる。
【００３７】
音声コントローラ１６は、制御装置１８より入力されるデジタル信号をアナログ信号に変換して楽曲再生音や合成音声をスピーカ１６ａから出力させる。
【００３８】
リモコンセンサ１７は、ユーザの操作に応じて赤外線等による無線信号を送信するリモコン１７ａから受信した信号を制御装置１８へ出力する。
【００３９】
制御装置１８は、ＣＰＵ、ＲＯＭ、ＲＡＭ、Ｉ／Ｏ等を備えたコンピュータとして構成されており、ＣＰＵはＲＯＭに記憶されたプログラムに従って各種処理を実施する。
【００４０】
制御装置１８の処理としては、位置検出器１０より入力される情報に基づいて車両の位置、向きおよび車速を特定する車両位置特定処理、自車位置周辺の地図上に自車位置マークを表示させる地図表示処理、出発地から目的地までの案内経路を探索し、この案内経路に従って経路案内を行う経路案内処理等がある。
【００４１】
本ラジオ放送受信装置１は、デジタルラジオ放送受信部１３によりデジタル放送を受信して放送中の楽曲を外部メモリ１４に録音する機能、外部メモリ１４に録音した楽曲を再生する機能等を有している。
【００４２】
なお、制御装置１８は、放送中の楽曲を外部メモリ１４に録音する際に、楽曲名、アーティスト名、ジャンル、提供元の放送サービス事業者（放送局）等の属性情報を楽曲データと関連付けて記憶するようになっている。
【００４３】
また、本実施形態における制御装置１８は、図２に示すデジタルラジオ放送の放送サービスエリアＡを楽曲の録音、再生を許可する第１の許可エリアとして、車両の位置がこの第１の許可エリア内に含まれる場合には外部メモリ１４に録音された楽曲の再生を許可し、車両の位置が第１の許可エリア内に含まれない場合には、外部メモリ１４に録音された楽曲の再生を禁止する楽曲再生処理を実施する。
【００４４】
また、制御装置１８は、この楽曲再生処理において、車両の位置が放送サービスエリアＡ内に含まれない場合であっても、楽曲の再生を許可する第２の許可エリアＢに含まれる場合には楽曲の再生を許可し、車両の位置が放送サービスエリアＡに含まれる場合であっても、特定ジャンルの楽曲再生を禁止する特定ジャンル再生禁止エリアＣに含まれ、かつ、再生する楽曲のジャンルと楽曲再生禁止エリアＣで再生が禁止されている楽曲のジャンルが一致する場合には楽曲の再生を禁止する。
【００４５】
図３に、この楽曲再生処理のフローチャートを示す。運転者の操作に応じて車両のイグニッションスイッチがオンになると本ラジオ放送受信装置１は動作状態となる。そして、乗員の操作により記憶媒体に記憶された楽曲の再生が指示されると、制御装置１８は、図３に示す処理を開始する。
【００４６】
まず、車両位置特定処理により特定された車両の位置（緯度、経度）を表す現在位置情報を取得する（Ｓ１００）。
【００４７】
次に、外部メモリ１４から放送サービスエリア情報を取得する（Ｓ１０２）。具体的には、再生する楽曲の属性情報を外部メモリ１４から読み出して再生する楽曲の提供元の放送サービス事業者を特定するとともにこの提供元の放送サービス事業者の放送サービスエリアを表す放送サービスエリア情報を外部メモリ１４から取得する。
【００４８】
次に、車両の位置が再生する楽曲の提供元の放送サービス事業者の放送サービスエリア内か否かを判定する（Ｓ１０４）。すなわち、現在位置情報に基づいて特定した車両の位置が上記再生する楽曲の提供元の放送サービス事業者の放送サービスエリア内に含まれるか否かを判定する。
【００４９】
ここで、車両の位置が放送サービスエリア内に含まれる場合、Ｓ１０４の判定はＹＥＳとなり、次に、再生禁止エリア情報を取得する（Ｓ１０６）。具体的には、外部メモリ１４に記憶された再生禁止エリア情報を取得する。なお。この再生禁止エリア情報には、特定ジャンルの楽曲再生を禁止するエリアを規定した特定ジャンル再生禁止エリア、特定の楽曲の再生を禁止するエリアを規定した特定楽曲再生禁止エリア等を表す情報が含まれる。
【００５０】
次に、現在位置が再生禁止エリア内か否かを判定する（Ｓ１０８）。具体的には、取得した再生禁止エリア情報に基づいて車両の位置が特定ジャンル再生禁止エリア、特定楽曲再生禁止エリア等の楽曲再生禁止エリア内に含まれるか否かを判定する。
【００５１】
ここで、車両の位置がいずれの楽曲再生禁止エリア内にも含まれない場合、Ｓ１０８の判定はＮＯとなり、外部メモリ１４に記憶された楽曲を再生する（Ｓ１１０）。
【００５２】
また、車両の位置が楽曲再生禁止エリアのいずれかに含まれる場合、Ｓ１０８の判定はＹＥＳとなり、次に、再生する楽曲のジャンルを取得する（Ｓ１１２）。具体的には、録音された楽曲の中から再生する楽曲を特定するとともに該再生する楽曲の属性情報を外部メモリ１４から読み出して再生する楽曲のジャンルを表すジャンル情報を取得する。
【００５３】
そして、現在位置が特定ジャンル再生禁止エリア内で、かつ、ジャンルが一致するか否かを判定する（Ｓ１１４）。具体的には、車両の位置が、再生する楽曲と同一ジャンルの楽曲の再生を禁止するエリアを規定した再生禁止エリア内に含まれるか否かを判定する。
【００５４】
ここで、車両の位置が、再生する楽曲と同一ジャンルの楽曲の再生を禁止する再生禁止エリア内に含まれない場合、Ｓ１１４の判定はＮＯとなり、外部メモリ１４に記憶された楽曲を再生する（Ｓ１１６）。
【００５５】
また、車両の位置が、再生する楽曲と同一ジャンルの楽曲の再生を禁止する再生禁止エリア内に含まれる場合には、Ｓ１１４の判定はＹＥＳとなり、外部メモリ１４に記憶された楽曲の再生を禁止する（Ｓ１１８）。具体的には、楽曲の再生を実施することなく、楽曲の再生ができないエリアである旨を表すメッセージを表示装置１５に表示させる。
【００５６】
また、車両の位置が放送サービスエリア内に含まれない場合には、Ｓ１０４の判定はＮＯとなり、次に、放送サービスエリア外における楽曲の再生を許可する第２の許可エリアを地理的範囲として規定した第２の許可エリア情報を取得する（Ｓ１２０）。
【００５７】
次に、現在位置が第２の許可エリア内か否かを判定する（Ｓ１２２）。すなわち車両の位置が第２の許可エリア内に含まれるか否かを判定する。
【００５８】
ここで、車両の位置が第２の許可エリア内に含まれない場合、Ｓ１２２の判定はＮＯとなり、外部メモリ１４に記憶された楽曲の再生を禁止する（Ｓ１２４）。具体的には、楽曲の再生を実施することなく、楽曲の再生ができないエリアである旨を表すメッセージを表示装置１５に表示させる。
【００５９】
また、車両の位置が第２の許可エリア内に含まれる場合、Ｓ１２２の判定はＹＥＳとなり、Ｓ１１６へ進む。
【００６０】
上記したように、本実施形態における制御装置１８は、車両の位置が放送サービスエリアＡ内に含まれる場合には外部メモリ１４に記憶された楽曲を再生し、車両の位置が放送サービスエリアＡ内に含まれない場合には、外部メモリ１４に記憶された楽曲の再生を禁止する。
【００６１】
また、本実施形態における制御装置１８は、デジタルラジオ放送の放送サービスエリアＡを楽曲の録音を許可する許可エリアとして、車両の位置が放送サービスエリアＡ内に含まれる場合には、放送中の楽曲の外部メモリ１４への録音を許可し、車両の位置が放送サービスエリアＡ内に含まれない場合には、放送中の楽曲の外部メモリ１４への録音を禁止する楽曲録音処理を実施する。
【００６２】
また、制御装置１８は、上記した楽曲再生処理と同様に、この楽曲録音処理において、車両の位置が図４に示す放送サービスエリアＡ内に含まれない場合であっても、楽曲の録音を許可する第３の許可エリアＤに含まれる場合には楽曲の録音を許可し、車両の位置が放送サービスエリアＡに含まれる場合であっても、車両の位置が、再生する楽曲と同一ジャンルの楽曲の再生を禁止するエリアを規定した再生禁止エリア内に含まれる場合には楽曲の録音を禁止する処理を行う。
【００６３】
図５に、この楽曲録音処理のフローチャートを示す。乗員の操作により記憶媒体に記憶された楽曲の録音が指示されると、制御装置１８は、図５に示す処理を開始する。なお、Ｓ１００〜Ｓ１０４ついては、図５に示した楽曲再生処理と同一であるため、ここでは説明を省略する。
【００６４】
車両の位置が再生する楽曲の提供元の放送サービス事業者の放送サービスエリア内に含まれる場合、Ｓ１０４の判定はＹＥＳとなり、次に、外部メモリ１４から録音禁止エリア情報を取得する（Ｓ２０６）。具体的には、外部メモリ１４に記憶された録音禁止エリア情報を取得する。なお、この録音禁止エリア情報には、特定ジャンルの楽曲録音を禁止するエリアを規定した特定ジャンル録音禁止エリア、特定の楽曲の録音を禁止するエリアを規定した特定楽曲録音禁止エリア等を表す情報が含まれる。
【００６５】
次に、現在位置が録音禁止エリア内か否かを判定する（Ｓ２０８）。具体的には、取得した録音禁止エリア情報に基づいて車両の位置が特定ジャンル録音禁止エリア、特定楽曲録音禁止エリア等の楽曲録音禁止エリア内に含まれるか否かを判定する。
【００６６】
ここで、車両の位置がいずれの楽曲録音禁止エリア内にも含まれない場合、Ｓ２０８の判定はＮＯとなり、放送中の楽曲を外部メモリ１４に録音させる（Ｓ２１０）。
【００６７】
また、車両の位置が楽曲再生禁止エリアのいずれかに含まれる場合、Ｓ２０８の判定はＹＥＳとなり、次に、録音する楽曲のジャンルを取得する（Ｓ２１２）。
【００６８】
そして、現在位置が特定ジャンル録音禁止エリア内で、かつ、ジャンルが一致するか否かを判定する（Ｓ２１４）。具体的には、車両の位置が、再生する楽曲と同一ジャンルの楽曲の録音を禁止するエリアを規定した録音禁止エリア内に含まれるか否かを判定する。
【００６９】
ここで、車両の位置が、再生する楽曲と同一ジャンルの楽曲の録音を禁止する特定ジャンル録音禁止エリアに含まれない場合、Ｓ２１４の判定はＮＯとなり、放送中の楽曲を外部メモリ１４に録音させる（Ｓ２１６）。
【００７０】
また、車両の位置が、再生する楽曲と同一ジャンルの楽曲の録音を禁止する特定ジャンル録音禁止エリアに含まれる場合には、Ｓ２１４の判定はＹＥＳとなり、放送中の楽曲の録音を禁止する（Ｓ２１８）。具体的には、楽曲の録音を実施することなく、楽曲の録音ができないエリアである旨を表すメッセージを表示装置１５に表示させる。
【００７１】
また、車両の位置が放送サービスエリア内に含まれない場合には、Ｓ１０４の判定はＮＯとなり、次に、外部メモリ１４から第３の許可エリア情報を取得する（Ｓ２２０）。
【００７２】
次に、現在位置が第３の許可エリア内か否かを判定する（Ｓ２２２）。すなわち車両の位置が第３の許可エリア内に含まれるか否かを判定する。
【００７３】
ここで、車両の位置が第３の許可エリア内に含まれない場合、Ｓ２２２の判定はＮＯとなり、放送中の楽曲の録音を禁止する（Ｓ２２４）。具体的には、放送中の楽曲の録音を実施することなく、楽曲の録音ができないエリアである旨を表すメッセージを表示装置１５に表示させる。
【００７４】
また、車両の位置が第３の許可エリア内に含まれる場合、Ｓ２２２の判定はＹＥＳとなり、Ｓ２０６へ進む。
【００７５】
上記したように、本実施形態における制御装置１８は、車両の位置が放送サービスエリアＡ内に含まれる場合には放送中の楽曲を外部メモリ１４に録音させ、車両の位置が放送サービスエリアＡ内に含まれない場合には、放送中の楽曲の録音を禁止する。
【００７６】
上記した構成によれば、車両の位置が楽曲の再生を許可する放送サービスエリア（第１の許可エリア）内に含まれないと判定された場合、車両の位置が第２の許可エリア内に含まれるか否かを判定し、車両の位置が第２の許可エリア内に含まれないと判定された場合、外部メモリ１４に録音された楽曲の再生が禁止される。すなわち、車両の位置に応じて外部メモリ１４に記憶された楽曲の再生を制限することができる。
【００７７】
なお、本発明は上記実施形態に限定されるものではなく、本発明の趣旨に基づいて種々なる形態で実施することができる。
【００７８】
例えば、上記実施形態では、衛星より送信されるデジタルラジオ放送を選択受信するデジタルラジオ放送受信部１３を備え、このデジタルラジオ放送受信部１３により受信された放送中の楽曲を録音、再生する例を示したが、例えば、地上に設置された送信アンテナより送信されるラジオ放送を選択受信するデジタルラジオ放送受信部を備えた構成としてもよく、また、アナログラジオ放送を受信するラジオ放送受信部を備えた構成としてもよい。
【００７９】
また、上記実施形態では、各放送局の放送サービスエリアを地理的範囲として規定した放送サービスエリア情報に基づいて車両の位置が放送サービスエリア内に含まれるか否かを判定する例を示したが、例えば、放送波を受信できるか否かに基づいて車両の位置が放送サービスエリア内に含まれるか否かを判定するようにしてもよい。
【００８０】
また、上記実施形態では、Ｓ１０４にて車両の位置が放送サービスエリア（第１の許可エリア）内に含まれるか否かを判定し、車両の位置が放送サービスエリア内に含まれる場合、Ｓ１０６へ進み、車両の位置が放送サービスエリア内に含まれない場合には、Ｓ１２０へ進む例を示したが、車両の位置が放送サービスエリア内に含まれると判定した場合、Ｓ１１０へ進み、外部メモリ１４に録音された楽曲を再生し、車両の位置が放送サービスエリア内に含まれないと判定した場合には、Ｓ１２４へ進み、外部メモリ１４に録音された楽曲の再生を禁止するようにしてもよい。このような構成では、車両の位置が楽曲の再生を許可する放送サービスエリア（第１の許可エリア）内に含まれないと判定された場合、外部メモリ１４に録音された楽曲の再生が禁止される。すなわち、車両の位置に応じて外部メモリ１４に記憶された楽曲の再生を制限することができる。
【００８１】
また、上記実施形態では、Ｓ１０４にて車両の位置が放送サービスエリア内に含まれるか否かを判定し、車両の位置が放送サービスエリア内に含まれる場合、Ｓ１０６へ進み、車両の位置が放送サービスエリア内に含まれない場合には、Ｓ１２０へ進む例を示したが、Ｓ１０４、Ｓ１１２、Ｓ１１４の各ステップを省略して、Ｓ１０８にて車両の位置が再生禁止エリア内に含まれると判定された場合、Ｓ１１８へ進むようにしてもよい。このような構成では、車両の位置が再生禁止エリア内に含まれると判定された場合、記憶手段に録音された楽曲の再生が禁止される。すなわち、車両の位置に応じて記憶媒体に記憶された楽曲の再生を制限することができる。
【００８２】
また、上記実施形態では、Ｓ１０８にて車両の位置が楽曲再生禁止エリア内に含まれると判定された場合に、Ｓ１１２にて再生曲のジャンルを取得し、Ｓ１１４にて車両の位置が特定ジャンル再生禁止エリア内に含まれるか否かを判定し、車両の位置が特定ジャンル再生禁止エリア内に含まれると判定された場合、外部メモリ１４に録音された楽曲の再生を禁止する例を示したが、Ｓ１０８の判定ステップを省略してＳ１１２へ進むようにしてもよい。
【００８３】
同様に、上記実施形態では、Ｓ２０８にて車両の位置が楽曲録音禁止エリア内に含まれると判定された場合に、Ｓ２１２にて録音曲のジャンルを取得し、Ｓ１１４にて車両の位置が特定ジャンル録音禁止エリア内に含まれるか否かを判定し、車両の位置が特定ジャンル録音禁止エリア内に含まれると判定された場合、放送中の楽曲の外部メモリ１４への録音を禁止する例を示したが、Ｓ２０８の判定ステップを省略してもよい。
【００８４】
また、上記実施形態では、Ｓ１０８にて車両の位置が楽曲再生禁止エリア内に含まれると判定された場合に、Ｓ１１２にて再生曲のジャンルを取得し、Ｓ１１４にて車両の位置が特定ジャンル再生禁止エリア内に含まれるか否かを判定し、車両の位置が特定ジャンル再生禁止エリア内に含まれると判定された場合、外部メモリ１４に録音された楽曲の再生を禁止する例を示したが、Ｓ１１２、Ｓ１１４を省略し、Ｓ１０８にて車両の位置が楽曲再生禁止エリア内に含まれると判定された場合、Ｓ１１８ヘ進み、外部メモリ１４に記憶された楽曲の再生を禁止するようにしてもよい。
【００８５】
同様に、上記実施形態では、Ｓ２０８にて車両の位置が楽曲録音禁止エリア内に含まれると判定された場合に、Ｓ２１２にて再生曲のジャンルを取得し、Ｓ２１４にて車両の位置が特定ジャンル再生禁止エリア内に含まれるか否かを判定し、車両の位置が特定ジャンル再生禁止エリア内に含まれると判定された場合、放送中の楽曲の外部メモリ１４への録音を禁止する例を示したが、Ｓ２１２、Ｓ２１４を省略し、Ｓ２０８にて車両の位置が楽曲再生禁止エリア内に含まれると判定された場合、Ｓ２１８ヘ進み、放送中の楽曲の外部メモリ１４への録音を禁止するようにしてもよい。
【００８６】
また、上記実施形態では、Ｓ１２２にて現在位置が第２の許可エリア内か否かを判定し、現在位置が第２の許可エリア内に含まれる場合、Ｓ１０６へ進む例を示したが、現在位置が第２の許可エリア内に含まれる場合、Ｓ１１０へ進み、外部メモリ１４に録音された楽曲を再生するようにしてもよい。
【００８７】
同様に、上記実施形態では、Ｓ２２２にて現在位置が第３の許可エリア内か否かを判定し、現在位置が第３の許可エリア内に含まれる場合、Ｓ２０６へ進む例を示したが、現在位置が第３の許可エリア内に含まれる場合、Ｓ２１０へ進み、放送中の楽曲を外部メモリ１４に録音するようにしてもよい。
【００８８】
なお、ＤＶＤ再生装置では、ＤＶＤソフトとＤＶＤドライブに割り当てられた各リージョナルコードが一致しないとＤＶＤに記憶された映像を再生できない仕組みとなっている。この仕組みを応用して、楽曲を録音する際に、ラジオ放送受信装置と異なるリージョナルコードを楽曲に付与するようにして、楽曲再生を禁止するようにしてもよい。
【００８９】
なお、上記実施形態における構成と特許請求の範囲の構成との対応関係について説明すると、Ｓ１００が現在位置情報取得手段に相当し、Ｓ１０２、Ｓ１０４が第１の判定手段に相当し、Ｓ１２４が第１の再生禁止手段に相当し、Ｓ１０６が再生禁止エリア情報取得手段に相当し、Ｓ１０８が第２の判定手段に相当し、Ｓ１１８が第２の再生禁止手段に相当し、Ｓ１１２が第１のジャンル情報取得手段に相当し、Ｓ１１４が第３の判定手段に相当し、Ｓ１２０が第２の許可エリア情報取得手段に相当し、Ｓ１２２が第４の判定手段に相当し、Ｓ１１０が再生手段に相当し、Ｓ２２４が第１の録音禁止手段に相当し、Ｓ２０６が録音禁止エリア情報取得手段に相当し、Ｓ２０８が第５の判定手段に相当し、Ｓ２１８が第２の録音禁止手段に相当し、Ｓ２１２が第２の楽曲ジャンル情報取得手段に相当し、Ｓ２１４が第６の判定手段に相当し、Ｓ２２０が第３の許可エリア情報取得手段に相当し、Ｓ２２２が第７の判定手段に相当する。
【図面の簡単な説明】
【００９０】
【図１】本発明の一実施形態に係るラジオ放送受信装置の構成を示す図である。
【図２】デジタルラジオ放送の放送サービスエリアＡ、第２の許可エリアＢおよび特定ジャンル再生禁止エリアＣについて説明するための図である。
【図３】楽曲再生処理のフローチャートである。
【図４】デジタルラジオ放送の放送サービスエリアＡ、第３の許可エリアＤおよび特定ジャンル録音禁止エリアＥについて説明するための図である。
【図５】楽曲録音処理のフローチャートである。
【符号の説明】
【００９１】
１    ラジオ放送受信装置
１０  位置検出器
１１  地図データ入力器
１２  操作スイッチ群
１３  ラジオ放送受信部
１４  外部メモリ
１５  表示装置
１６  音声コントローラ
１７  リモコンセンサ
１８  制御装置
【図１】
0004973511.tif 000002
【図２】
0004973511.tif 000003
【図３】
0004973511.tif 000004
【図４】
0004973511.tif 000005
【図５】
0004973511.tif 000006